(57)【要約】【課題】ネットワークに接続された複数の機器を順次処理する検索システムにおいて、内部処理の遅延が発生する機器がシステム内に存在する場合においても、システム全体としての処理を効率的に行う。【解決手段】検索要求を送信すると共に、該検索要求に対する結果応答を受信する検索装置と、データを記憶する記憶部を備え、記憶部から検索要求に対応するデータを検索して、検索されたデータのインデックス情報を検索装置に送信する複数の記憶装置と、を備えた検索システムにおいて、記憶部を使用中に検索要求を受信した記憶装置は、データを検索せずに記憶部使用中情報を検索装置へ送信し、記憶部使用中情報を受信した検索装置は、記憶部使用中情報を送信した記憶装置に対し検索要求を再送信する。【選択図】図８
2010072735.tif 000002
【特許請求の範囲】
【請求項１】
検索要求を送信すると共に、該検索要求に対する結果応答を受信する検索装置と、
データを記憶する記憶部を備え、前記記憶部から前記検索要求に対応するデータを検索して、検索されたデータのインデックス情報を前記検索装置に送信する複数の記憶装置と、
前記検索装置と前記複数の記憶装置とを接続するネットワークと、を備えた検索システムにおいて、
前記記憶部を使用中に検索要求を受信した記憶装置は、データを検索せずに記憶部使用中情報を前記検索装置へ送信し、
前記記憶部使用中情報を受信した前記検索装置は、前記記憶部使用中情報を送信した記憶装置に対し検索要求を再送信することを特徴とする検索システム。
【請求項２】
前記検索装置は、複数の記憶装置に対して検索要求を順次送信し、全ての記憶装置に対して検索要求を送信した後に、前記記憶部使用中情報を送信した記憶装置に対し、検索要求を再送信することを特徴とする請求項１に記載の検索システム。
【請求項３】
前記検索装置は、未処理の記憶装置が存在する場合、該記憶装置に対して再度、検索要求を送信し、最後に検索要求を行なう記憶装置に係る検索要求に対して処理最終情報を付加することを特徴とする請求項１又は２に記載の検索システム。
【請求項４】
前記記憶部を使用中に処理最終情報を受信した記憶装置は、前記検索要求をキューに入れ、前記記憶部が使用可能となった後に、前記検索要求に対応するデータを検索してその結果を前記検索装置に送信することを特徴とする請求項３に記載の検索システム。
【請求項５】
前記検索装置は、前記処理最終情報を付加しないで検索要求を送信した記憶装置の応答待ち時間と、前記処理最終情報を付加して検索要求を送信した記憶装置に対する応答待ち時間と、を別に設定することを特徴とする請求項３又は４に記載の検索システム。
【発明の詳細な説明】
【技術分野】
【０００１】
本発明は、データを検索する際に、ネットワークに接続された記憶装置からインデックス情報を取得する技術に関するものである。
【背景技術】
【０００２】
ネットワークに接続された機器のリクエストに対する応答時間は、機器毎に異なる。そのため、リクエスト時の応答待ち時間を機器毎に設定できれば、ネットワーク全体としての処理時間を短縮することができる。
例えば、特許文献１では、機器毎に通常の応答時間をあらかじめ見積もり、リクエストから応答までの時間が通常より長くなる場合の通信の打ち切りが適切な時間で行われるようにして、ネットワーク全体としての処理時間を短縮している。具体的には、通常の状態における応答時間が短い機器に対しての応答待ち時間を短く設定することにより、応答待ち時間が必要以上に延長されることを回避している。また、通常の状態における応答時間が長い機器に対しての応答待ち時間を長く設定することにより、早めに通信を打ち切られてしまうことを回避している。
【特許文献１】特許第３６４４８０１号
【発明の開示】
【発明が解決しようとする課題】
【０００３】
しかしながら特許文献１は、プリンタ管理システムからの物理的な距離やネットワークの混雑度を考慮してプリンタの通常の応答時間を設定しているに過ぎず、ネットワークに起因する遅延以外の遅延、例えばプリンタ内部での処理が競合して起こる応答時間の遅延には対応できない。その結果、実際の応答時間と見積もった応答時間とが大きく異なる場合には、見積もりに応じたタイムアウト時間を設定しても、その効果を得ることができないといった問題がある。
本発明は上述の問題点に鑑みてなされたものであり、ネットワークに接続された複数の機器を順次処理するシステムにおいて、内部処理の遅延が発生する機器がシステム内に存在する場合においても、システム全体としての処理を効率的に行うことが可能な検索システムを提供することを目的とする。
【課題を解決するための手段】
【０００４】
上記の課題を解決するために、請求項１に記載の発明は、検索要求を送信すると共に、該検索要求に対する結果応答を受信する検索装置と、データを記憶する記憶部を備え、前記記憶部から前記検索要求に対応するデータを検索して、検索されたデータのインデックス情報を前記検索装置に送信する複数の記憶装置と、前記検索装置と前記複数の記憶装置とを接続するネットワークと、を備えた検索システムにおいて、前記記憶部を使用中に検索要求を受信した記憶装置は、データを検索せずに記憶部使用中情報を前記検索装置へ送信し、前記記憶部使用中情報を受信した前記検索装置は、前記記憶部使用中情報を送信した記憶装置に対し検索要求を再送信することを特徴とする。
また、請求項２に記載の発明は、前記検索装置は、複数の記憶装置に対して検索要求を順次送信し、全ての記憶装置に対して検索要求を送信した後に、前記記憶部使用中情報を送信した記憶装置に対し、検索要求を再送信する請求項１に記載の検索システムを特徴とする。
また、請求項３に記載の発明は、前記検索装置は、未処理の記憶装置が存在する場合、該記憶装置に対して再度、検索要求を送信し、最後に検索要求を行なう記憶装置に係る検索要求に対して処理最終情報を付加する請求項１又は２に記載の検索システムを特徴とする。
また、請求項４に記載の発明は、前記記憶部を使用中に処理最終情報を受信した記憶装置は、前記検索要求をキューに入れ、前記記憶部が使用可能となった後に、前記検索要求に対応するデータを検索してその結果を前記検索装置に送信する請求項３に記載の検索システムを特徴とする。
また、請求項５に記載の発明は、前記検索装置は、前記処理最終情報を付加しないで検索要求を送信した記憶装置の応答待ち時間と、前記処理最終情報を付加して検索要求を送信した記憶装置に対する応答待ち時間と、を別に設定する請求項３又は４に記載の検索システムを特徴とする。
【発明の効果】
【０００５】
本発明によれば、複数の記憶装置に対して順次検索処理を行う場合に発生する遅延が、ネットワークに起因する遅延以外の遅延、例えば内部記憶装置等のリソース競合による場合に、記憶装置は要求された検索処理をしないで応答を停滞することなく検索装置に返し、検索装置は次の検索対象である記憶装置への処理を優先的に行うので、次の検索対象機器が停滞することなく通信でき、画像検索システム全体としての処理効率を上げることができる。
【発明を実施するための最良の形態】
【０００６】
以下、本発明の第一の実施形態について説明する。
図１は本発明が適用される画像検索システム１０の全体構成を示す図である。本実施形態における画像検索システム１０は、画像検索装置２０と複数の画像記憶装置３０（３０−１乃至３０−４）とがローカルエリアネットワーク（ＬＡＮ）４０に接続されて構成されている。
【０００７】
まず、画像検索装置２０について説明する。
図２は画像検索装置２０の内部ブロック図である。画像検索装置２０は、利用者からの入力を受け付ける操作部２１と、画像記憶装置３０の情報を管理する画像記憶装置管理部２２と、画像検索処理動作を制御する画像検索制御部２３と、画像検索装置２０をＬＡＮ４０に接続して情報の送受信を行うネットワークＩ／Ｆ部２４と、を備える。尚、画像検索装置２０は例えば、入力手段（キーボード、マウス等）、表示手段（ディスプレイ）、記憶装置（ハードディスク等）、制御手段（ＣＰＵ）を有するＰＣ又はサーバにより構成される。従って、操作部２１は入力手段に属し、画像検索制御部２３及び画像記憶装置管理部２２は制御手段に属する。
操作部２１は、画像検索のためのキーワードや処理命令を入力する入力手段としてのキーボードやマウス、入力内容や画像検索結果を表示する表示手段としてのディスプレイ、といったユーザインタフェースを有する。なお、入力手段と表示手段はタッチパネルのように一体化されていてもよい。
画像記憶装置管理部２２は、検索対象となる各画像記憶装置３０のアドレスを管理する。画像記憶装置３０のアドレスは、画像検索システム１０を利用して画像検索を開始する前にあらかじめ例えば記憶装置に記憶されている必要がある。画像記憶装置管理部２２は、記憶装置に記憶される画像記憶装置３０のアドレスの読み出し、更新、削除を実行することで画像記憶装置３０のアドレスを管理する。
【０００８】
図３は、画像記憶装置管理部２２が管理する画像記憶装置３０のテーブルの一例である。静的なデータとして画像記憶装置３０のアドレスを保持する。また、動的なデータとして画像検索システム１０全体への画像検索要求に対する各画像記憶装置３０の処理状態を保持する。
画像検索制御部２３は、操作部２１から入力された画像検索のためのキーワードを取得する。そして、画像記憶装置管理部２２が管理するテーブルに記憶された画像記憶装置３０のアドレスを順次読み出して、画像記憶装置３０に対して画像インデックス情報取得要求をするためのネットワーク通信をネットワークＩ／Ｆ部２４に依頼する。また、図３に示すように、利用者からの一回の検索要求において各画像記憶装置３０が通信済みかどうかの情報をネットワークＩ／Ｆ部２４から受け取った情報に基づいて、画像記憶装置３０の処理状態として画像記憶装置管理部２２が管理するテーブルに記憶させて管理する。
ネットワークＩ／Ｆ部２４は、画像検索制御部２３と連携して、画像インデックス情報取得要求と検索キーワードとを画像記憶装置３０に順次送信し、また、画像記憶装置３０からの応答メッセージを受信する。
【０００９】
次に、画像記憶装置３０について説明する。
画像記憶装置３０は、特に高画質の印刷に利用されるようなデータ量の大きい画像を保持する複合機である。画像データを記憶してその管理を行い、画像検索装置２０からの検索キーワードを受信し、対応する画像インデックス情報を返信する。尚、画像記憶装置３０は、スキャナ、画像形成部、制御部、操作部、記憶手段を備えた複合機により実現した場合、操作部３１は操作部に属し、ストレージ３４は記憶手段に属し、画像読取部３２はスキャナに属し、ストレージ管理部３５及びサムネイル作成部３３は制御部に属する。
図４は画像記憶装置３０の内部ブロック図である。
画像記憶装置３０は、利用者からの入力を受け付ける操作部３１と、原稿を読み取って画像データを生成する画像読み取り部３２と、画像データのサムネイルを作成するサムネイル作成部３３と、画像データを記憶するストレージ３４と、ストレージ３４を管理するストレージ管理部３５と、画像記憶装置３０をＬＡＮ４０に接続して情報の送受信を行うネットワークＩ／Ｆ部３６と、を備える。
操作部３１は、ストレージ３４に画像データを記憶させる際に画像検索用のキーワードを入力するキーボードやマウス、入力内容及び記憶画像を表示する表示手段としてのディスプレイ、といったユーザインタフェースを有する。なお、入力手段と表示手段はタッチパネルのように一体化されていてもよい。
画像読み取り部３２は、従来周知のスキャナであるため、概要のみを説明する。原稿から画像データを生成する場合、利用者は、画像読み取り部３２が備えるコンタクトガラス上に原稿を置いて実行ボタンを押す。画像読み取り部３２は、原稿を読み取って電子化し、画像データを生成する。
【００１０】
図５は、画像記憶装置３０で利用者が画像を読み取り、保存するときの操作画面の一例である。検索時に使用するキーワードを操作部３１から入力することができる。このキーワードは複数入力することができる。
サムネイル作成部３３は、画像読み取り部３２によって生成されたデータ量の大きい画像データから、該画像データに対応したデータ量の小さいサムネイルを作成する。サムネイルは、画像検索装置２０による画像の検索において画像インデックス情報として提供される。サムネイルは、画像読み取り部３２によって生成された画像データがストレージ３４へ保存されると同時に作成される。
ストレージ３４は、例えばハードディスク等の記憶装置である。特に高画質の印刷に利用されるようなデータ量の大きい画像を保持している。ストレージ３４には、画像読み取り部３２によって生成された画像データと、サムネイル作成部３３によって作成されたサムネイルと、利用者が操作部３１から入力した画像データのキーワードと、が関連づけられて記憶される。また、ストレージ３４には、ＬＡＮ４０を経由してアクセスすることができる。
【００１１】
ストレージ管理部３５は、画像検索装置２０から送信された画像インデックス情報取得要求に含まれるキーワードに対応する画像データをストレージ３４内から検索し、検索された画像データのサムネイルをストレージ３４から読み出す。またストレージ管理部３５は、画像検索システム１０の機能以外の他の機能（例えば、複写機能）でストレージ３４が使用中であるか否かを判断する。
ネットワークＩ／Ｆ部３６は画像検索装置からの画像インデックス情報取得要求を受け取って、ストレージ管理部３５に渡す。また、画像インデックス情報取得要求に対応する画像データのサムネイルがストレージ管理部３５によって取得された場合や、ストレージ３４が使用中の場合には、その旨の応答メッセージを作成し、要求元の画像検索装置２０へ送信する。
【００１２】
画像検索システム１０を用いた画像検索について説明する。
図６は、画像検索装置２０で利用者が検索を行う時の操作画面の一例である。検索したい画像のキーワードを操作部２１からキーワード入力欄に入力して、画面上の実行ボタン５０を押すと画像検索を開始することができる。画像検索が開始されると、画像インデックス情報取得要求が送信される。
図７は、画像検索結果画面の一例である。画像記憶装置３０に送信されたキーワードと、ストレージ３４に記憶されたキーワードとが合致した画像データのサムネイル５１を表示している。利用者はサムネイル５１を指定選択することで、所望の画像に対する処理を行うことができる。例えば、印刷処理５２を選択すれば、該当画像データを取得し、任意の印刷装置にて印刷を行うことができる。
【００１３】
図８は、本実施形態の画像検索装置２０と複数（Ｎ台）の画像記憶装置３０−１乃至３０−Ｎの通信処理概要を示すシーケンス図である。
画像検索装置２０は、画像検索の開始が指示されると、画像記憶装置管理部２２が管理するテーブルから最初に処理する画像記憶装置３０−１のアドレスを取得し、画像記憶装置３０−１へ画像インデックス情報取得のための画像インデックス情報取得要求を送信する。なお、図では検索要求となっているが、本実施形態は画像検索の例により説明するため、特に「画像インデックス情報取得要求」の語を用いる。画像インデックス情報取得要求には、画像データを表すキーワードが含まれている。
要求を受信した画像記憶装置３０−１は、ストレージ３４−１が使用中であるか否かを判断する。ストレージ３４−１が使用中でない場合には、画像記憶装置３０−１は送信された要求に対して、直ちに該当画像が存在するか否かを検索する。該当する画像データが存在する場合には、サムネイルを取得して画像インデックス情報として画像検索装置２０へ送信する。
画像検索装置２０は画像記憶装置３０−１からの応答を受信後、画像記憶装置管理部２２が管理するテーブルの、画像記憶装置３０−１の処理状態を示す箇所に「処理済み」フラグを立てる。
【００１４】
続いて画像検索装置２０は、次に処理する画像記憶装置３０−２のアドレスを画像記憶装置管理部２２から取得し、画像記憶装置３０−１に対する処理と同様に画像インデックス情報取得要求を画像記憶装置３０−２に対して送信する。本実施形態の画像記憶装置３０−２は複写動作中であり、中間画像処理のためにストレージ３４−２を使用中であるとする。画像記憶装置３０−２は複写動作を最優先させるため、ストレージ３４−２へのアクセスを許可しない。画像記憶装置３０−２は、画像検索装置２０に対して「ストレージ使用中」と返答する。画像検索装置２０は、画像記憶装置管理部２２が管理するテーブルに「ストレージ使用中」フラグを立てる。
続いて画像検索装置２０は、画像インデックス情報取得要求を画像記憶装置３０−３に対して送信する。検索の結果、ストレージ３４−３に該当する画像データが存在しない場合には、画像記憶装置３０−３は「該当画像無し」と返答する。画像検索装置２０は、画像記憶装置管理部２２が管理するテーブルに「処理済み」フラグを立てる。
そして、画像記憶装置Ｎまで要求を送信し終わった後、ストレージ３４が使用中のため検索結果が得られなかった画像記憶装置３０−２、３０−Ｎ−１に対して再度画像インデックス情報取得要求を送信し、画像記憶装置３０全体の検索を行う。
【００１５】
上述のシーケンスに対応する画像検索装置２０の動作を、フローチャートに基づいて説明する。
図９は、図８のシーケンス図に対応する、画像検索装置２０の内部処理の概要を示すフローチャートである。
画像検索装置２０は、画像検索の開始が指示されると、画像記憶装置管理部２２が管理するテーブルの先頭から一の画像記憶装置のアドレスを読み出す（ステップＳ４０１）。画像インデックス取得の要求の応答待ち時間をセットする（ステップＳ４０２）。応答待ち時間は、機器毎に通常の応答時間を見積もって、あらかじめテーブルに記憶しておく。画像記憶装置３０へ画像インデックス情報取得の要求を送信する（ステップＳ４０３）。画像記憶装置３０から応答を受信する（ステップＳ４０４）。
ストレージ使用中でない場合（ステップＳ４０５でＮ）、応答にサムネイルが含まれる否かを判断し（ステップＳ４０６）、サムネイルが含まれる場合はそのサムネイルを画像検索装置２０に一時保存する（ステップＳ４０７）。画像記憶装置管理部２２が管理するテーブルに、該当画像記憶装置３０の処理状態として「処理済み」フラグをたてる（ステップＳ４０８）。操作部２１の表示手段にサムネイルを表示して（ステップＳ４０９）、ステップＳ４１１に進む。
一方、ステップＳ４０５でストレージ使用中である場合（ステップＳ４０５でＹ）、画像記憶装置管理部２２が管理するテーブルに、該当画像記憶装置３０の処理状態として「ストレージ使用中」フラグをたてて（ステップＳ４１０）ステップＳ４１１に進む。
ステップＳ４１１では、画像記憶装置管理部２２が管理するテーブルから、処理済みとなっていない画像記憶装置があるかを調べ（ステップＳ４１１）、ある場合（ステップＳ４１１でＹ）はステップＳ４０１に戻り、次の画像記憶装置に対する処理を開始する。ない場合（ステップＳ４１１でＮ）は、画像検索処理を終了する。
【００１６】
このように本実施形態によれば、複数の記憶装置に対して順次検索処理を行う場合に発生する遅延が、ネットワークに起因する遅延以外の遅延、例えば内部記憶装置等のリソース競合による場合であっても、記憶装置は要求された検索処理をしないで応答を停滞することなく検索装置に返し、検索装置は次の検索対象である記憶装置への処理を優先的に行うので、次の検索対象機器が停滞することなく通信でき、画像検索システム全体としての処理効率を上げることができる。
【００１７】
本発明の第二の実施形態について説明する。
図１０は、本発明の第二の実施形態を説明するシーケンス図である。第一の実施形態とは、最後の画像記憶装置に対する処理手順が異なる。以下、第一の実施形態と異なる点について説明する。
図１０のシーケンス図は、画像記憶装置３０−Ｎ−１を除く全ての画像記憶装置に対する処理が終了し、各画像記憶装置に対して「処理済み」フラグが立てられた以降の状態を示している。画像検索装置２０は、画像記憶装置３０−Ｎ−１が最後の処理対象であると判断した場合、検索キーワードを含む画像インデックス情報取得要求とともに、処理最終指定の情報を画像記憶装置３０−Ｎ−１へ通知する。このとき、画像インデックス情報取得要求を受け取った画像記憶装置３０−Ｎ−１は、ストレージ３４−Ｎ−１が使用中であっても、画像検索装置２０からの要求をキューに入れる。画像記憶装置３０−Ｎ−１は、ストレージ３４−Ｎ−１が使用可能となった後に画像検索処理を実行し、画像検索装置２０は画像検索結果応答を待つ。なお、画像検索装置が図３の画像記憶装置の処理状態をみて、ストレージ使用中（画像記憶装置２、画像記憶装置Ｎ−１）の画像記憶装置に対して画像検索処理を順次実行すれば、必然的に画像記憶装置Ｎ−１が最後であると判断できる。
【００１８】
上述のシーケンスに対応する画像記憶装置３０の動作を、フローチャートに基づいて説明する。
図１１は、図８、図１０のシーケンス図に対応する、画像記憶装置３０の内部処理の概要を示すフローチャートを示す。
画像検索装置２０からの要求待ちの状態（ステップＳ５０１）にある画像記憶装置３０が要求を受信すると（ステップＳ５０１でＹ）、ストレージ３４が利用中であるか否かを判断する（ステップＳ５０２）。ストレージ３４が利用中でなければ（ステップＳ５０２でＮ）、検索条件に該当する画像を検索する（ステップＳ５０３）。
検索条件に該当する画像があれば（ステップＳ５０３でＹ）、該当する画像に対応するサムネイル読み出して（ステップＳ５０４）、画像検索装置２０に対してサムネイル送信を行う（ステップＳ５０５）。
一方、ステップＳ５０３で検索条件に該当する画像がなければ（ステップＳ５０３でＮ）、レスポンスメッセージとして「該当なし」を送信する（ステップＳ５０６）。
また、ステップＳ５０２でストレージ３４が利用中であれば（ステップＳ５０２でＹ）、要求に処理最終指定があるか否かをチェックする（ステップＳ５０７）。処理最終指定があれば（ステップＳ５０７でＹ）、ステップＳ５０３以降の処理を実行する。処理最終指定がなければ（ステップＳ５０７でＮ）、ストレージ３４の使用中を意味するレスポンスメッセージを送信する（ステップＳ５０８）。
【００１９】
このように本実施形態においては、画像検索処理の遅延が画像記憶装置内部のリソース競合に起因して発生する場合であって、該画像記憶装置よりも優先して画像検索処理をすべき他の画像記憶装置がない場合に、画像検索装置はリトライ処理を行わずに結果応答を待つようにしたので、画像検索システム全体としての処理を効率化することができる。
【００２０】
本発明の第三の実施形態について説明する。
第二の実施形態において処理最終指定をした画像記憶装置に関して、その画像が検索されるまで、相応の時間がかかると予測される。そこで、本実施形態では、通信の応答待ち時間を通常より長めに設定する。
図１２は、本実施形態の応答待ち時間を設定する画像検索装置２０の内部処理の概要を示すフローチャートである。図９のフローチャートのステップＳ４０２の処理に相当する。
画像検索装置２０は、対象とする画像記憶装置が処理最終指定を受けた装置であるか否かを判断する（ステップＳ６０１）。処理最終指定を受けた装置でなければ（ステップＳ６０１でＮ）、通常の応答待ち時間をセット（ステップＳ６０２）する。処理最終指定を受けた装置であれば（ステップＳ６０１でＹ）、通常よりも長い応答待ち時間をセットする（ステップＳ６０３）。
ここで、通常の応答待ち時間とは、対象とする画像記憶装置がネットワーク通信自体は行えるが、画像記憶装置側での上位レイヤに何らかの障害を有していることが原因で応答を返さないような場合に、早めに通信を打ち切るために設定する時間のことである。
【００２１】
なおアドレスが存在しないなど、対象とする画像記憶装置がネットワーク通信自体を行えない場合は、すぐに分かるため応答待ち時間を設定するまでもない。
このように、本実施形態では、画像検索処理の遅延が画像記憶装置内部のリソース競合に起因して発生する場合であって、該画像記憶装置よりも優先して画像検索処理をすべき他の画像記憶装置がない場合に、画像検索装置が通常の応答待ち時間より長めの応答時間を設定するようにした。長めの応答時間を設定することによってタイムアウトの発生が低減し、検索結果を送信する画像記憶装置の台数が増加するので、検索可能な画像対象を可能な限り増やすことができる。
【図面の簡単な説明】
【００２２】
【図１】本発明が適用される画像検索システムの全体構成を示す図である。
【図２】画像検索装置の内部ブロック図である。
【図３】画像記憶装置管理部が管理する画像記憶装置のテーブルの一例を示す図である。
【図４】画像記憶装置の内部ブロック図である。
【図５】画像記憶装置で画像を読み取り、保存するときの操作画面の一例を示す図である。
【図６】画像検索装置で検索を行う時の操作画面の一例を示す図である。
【図７】画像検索装置に表示される画像検索結果画面の一例を示す図である。
【図８】本発明の第一の実施形態にかかる画像検索装置と画像検索装置の通信処理概要を示すシーケンス図である。
【図９】図８のシーケンス図に対応する、画像検索装置の内部処理の概要を示すフローチャートである。
【図１０】本発明の第二の実施形態を説明するシーケンス図である。
【図１１】図８、図１０のシーケンス図に対応する、画像記憶装置の内部処理の概要を示すフローチャートである。
【図１２】応答待ち時間を設定する画像検索装置の内部処理の概要を示すフローチャートである。
【符号の説明】
【００２３】
１０…画像検索システム、２０…画像検索装置、２１…操作部、２２…画像記憶装置管理部、２３…画像検索制御部、２４…ネットワークＩ／Ｆ部、３０…画像記憶装置、３１…操作部、３２…画像読み取り部、３３…サムネイル作成部、３４…ストレージ、３５…ストレージ管理部、３６…ネットワークＩ／Ｆ部、４０…ＬＡＮ
【図１】
2010072735.tif 000003
【図２】
2010072735.tif 000004
【図３】
2010072735.tif 000005
【図４】
2010072735.tif 000006
【図５】
2010072735.tif 000007
【図６】
2010072735.tif 000008
【図７】
2010072735.tif 000009
【図８】
2010072735.tif 000010
【図９】
2010072735.tif 000011
【図１０】
2010072735.tif 000012
【図１１】
2010072735.tif 000013
【図１２】
2010072735.tif 000014